(57)【要約】【課題】複数の部材を有するベース枠を配置することなしに、所望の強度を有する採光屋根の支持構造を提供する。【解決手段】ハゼ締め型の折板屋根１００の開口部に形成される採光屋根の支持構造であって、折板屋根の開口部の端部には略水平面とハゼ締め部１０１とを有し、上板部、上板部と略直角をなして接続された側板部、及び側板部と接続され且つ上板部と略平行に伸延する下板部を有し、採光屋根を支持する支持部材２１ａと、平板部及び平板部の面上に形成された突起部を有する受部材２２ａと、支持部材と受部材とを固定する固定部材２１７ａ、２２７ａとを有し、固定部材によって支持部材と受部材とが固定されることによって、折板屋根の略水平面は下板部の下面と平板部との間で鉛直方向に挟持され、折板屋根のハゼ締め部は下板部の先端部と突起部との間で水平方向に挟持される。【選択図】図４
2014234611.tif 000002
【特許請求の範囲】
【請求項１】
ハゼ締め型の折板屋根の開口部に形成される採光屋根の支持構造であって、折板屋根の開口部の端部には略水平面と略水平面から起立するように形成されるハゼ締め部を有し、
上板部、前記上板部と略直角をなして接続された側板部、及び前記側板部と接続され且つ前記上板部と略平行に伸延する下板部を有し、前記採光屋根を支持する支持部材と、
平板部及び前記平板部の面上に形成された突起部を有する受部材と、
前記支持部材と前記受部材とを固定する固定部材と、を有し、
前記固定部材によって前記支持部材と前記受部材とが固定されることによって、折板屋根の略水平面は前記下板部の下面と前記平板部との間で鉛直方向に挟持され、折板屋根のハゼ締め部は前記下板部の先端部と前記突起部との間で水平方向に挟持される、
ことを特徴とする採光屋根の支持構造。
【請求項２】
前記開口部の短辺に平行に配置される横桟を更に有し、
前記支持部材は、前記側板部が外側に位置するように前記横桟の長手方向の端部に配置される、請求項１に記載の採光屋根の支持構造。
【請求項３】
前記支持部材は、前記横桟と一体成型される、請求項２に記載の採光屋根の支持構造。
【請求項４】
受部材は、前記平板部の一辺から上方に延びる第一側壁部と、前記第一側壁部が延びる辺と反対の辺から上方に延びる第二側壁部とを更に有し、
前記支持部材は、前記第一側壁部と前記第二側壁部との間に配置される、請求項１〜３の何れか一項に記載の採光屋根の支持構造。
【発明の詳細な説明】
【技術分野】
【０００１】
本発明は、採光屋根の支持構造に関する。より詳細には、本発明は、ハゼ式折板屋根に搭載される採光屋根の支持構造に関する。
【背景技術】
【０００２】
工場、倉庫などの建築物に好適な屋根構造として、金属製の屋根用折板を、ハゼ又はハゼ締め部と称される接合部分を介して接合するハゼ式折板屋根が知られている。ハゼ式折板屋根は、略谷型の断面を有する折板を、略台形状の断面を有するタイトフレームの山谷形状に沿って載置し、隣接する折板の側端縁同士をタイトフレームの頂部の水平部で起立するように形成されるハゼ締め部をつなぎ合わせて接合するものである。
【０００３】
ハゼ式折板屋根の折板を取り外して形成される開口部に採光屋根を設置することが知られている。特許文献１に記載される採光屋根は、ハゼ式折板屋根の折板を取り外して形成される開口部に採光部材を設置することにより、ハゼ式折板屋根に採光屋根を形成している。
【先行技術文献】
【特許文献】
【０００４】
【特許文献１】特開２００４−６０３４６号公報
【発明の概要】
【発明が解決しようとする課題】
【０００５】
特許文献１に記載される採光屋根では、折板屋根の表面に配置された複数のアングル材で形成されるベース枠と、下向きの開口するコ字状の断面を有する締結枠とで折板屋根を複数の挟持部で鉛直方向から挟持して、ハゼ締め部を折板屋根に接合している。特許文献１に記載される採光屋根では、折板屋根の表面に配置された複数のアングル材で形成されるベース枠と締結枠とにより形成される複数の挟持部で鉛直方向のみから折板屋根を挟持することにより、接合強度を担保している。
【０００６】
しかしながら、特許文献１に記載される採光屋根では、鉛直方向のみから折板屋根と採光屋根を挟持するため、複数の部材を有するベース枠を配置する必要があり、採光屋根を設置するための施工工程が複雑になるという問題があった。
【０００７】
そこで、本発明は、ハゼ式折板屋根に形成される採光屋根において、複数の部材を有するベース枠を配置することなしに、所望の強度を有する採光屋根の支持構造を提供することを目的とする。
【課題を解決するための手段】
【０００８】
上記目的を達成するために、ハゼ締め型の折板屋根の開口部に形成される採光屋根の支持構造であって、折板屋根の開口部の端部には略水平面と略水平面から起立するように形成されるハゼ締め部を有し、上板部、上板部と略直角をなして接続された側板部、及び側板部と接続され且つ上板部と略平行に伸延する下板部を有し、採光屋根を支持する支持部材と、平板部及び平板部の面上に形成された突起部を有する受部材と、支持部材と受部材とを固定する固定部材と、を有し、固定部材によって支持部材と受部材とが固定されることによって、折板屋根の略水平面は下板部の下面と平板部との間で鉛直方向に挟持され、折板屋根のハゼ締め部は下板部の先端部と突起部との間で水平方向に挟持されることを特徴とする。
【０００９】
さらに、本発明に係る採光屋根の支持構造は、開口部の短辺に平行に配置される横桟を更に有し、支持部材は、側板部が外側に位置するように横桟の長手方向の端部に配置されることが好ましい。
【００１０】
さらに、本発明に係る採光屋根の支持構造では、支持部材は、横桟と一体成型されることが好ましい。
【００１１】
さらに、本発明に係る採光屋根の支持構造では、支持部材は、平板部の一辺から上方に延びる第一側壁部と、第一側壁部が延びる辺と反対の辺から上方に延びる第二側壁部とを更に有し、支持部材は、第一側壁部と第二側壁部との間に配置されることが好ましい。
【発明の効果】
【００１２】
本発明に係る採光屋根の支持構造によれば、固定部材によって支持部材と受部材とが固定されることによって、折板屋根の略水平面は下板部の下面と平板部との間で鉛直方向に挟持され、折板屋根のハゼ締め部は下板部の先端部と突起部との間で水平方向に挟持されるので、複数の部材を有するベース枠を配置することなしに、所望の強度を有する採光屋根の支持構造を提供することが可能になった。
【図面の簡単な説明】
【００１３】
【図１】採光屋根の一例の斜視図である。
【図２】（ａ）は図１に示す採光屋根の平面図であり、（ｂ）は図１のＡ−Ａ´線に沿う端面図である。
【図３】（ａ）は（ａ）のＢ−Ｂ´線に沿う端面図であり、（ｂ）は横桟の側面図である。
【図４】（ａ）は図２（ａ）のＣ−Ｃ´線に沿う端面図であり、（ｂ）は（ａ）の部分拡大図である。
【図５】（ａ）は補強横桟の斜視図であり、（ｂ）は補強横桟の平面図であり、（ｃ）は補強横桟の正面図であり、（ｄ）は補強横桟の側面図であり、（ｅ）は補強横桟の部分正面図である。
【図６】（ａ）は受座の斜視図であり、（ｂ）は受座の正面図であり、（ｃ）は受座の平面図であり、（ｄ）は受座の側面図である。
【図７】（ａ）はサイドフレームの斜視図であり、（ｂ）はサイドフレームの側面図である。
【図８】（ａ）はシート固定部材の斜視図であり、（ｂ）はシート固定部材の側面図であり、（ｃ）はシート材押込部材の斜視図であり、（ｄ）はシート材の取付図であり、（ｅ）は図４に示す端面図の部分拡大図である。
【図９】図２（ａ）のＤ−Ｄ´線に沿う端面図である。
【図１０】図２（ａ）のＥ−Ｅ´線に沿う端面図である。
【図１１】（ａ）は端部フレームの斜視図であり、（ｂ）は端部フレームの他の斜視図であり、（ｃ）は端部フレームの側面図である。
【図１２】図２のＦ−Ｆ´線に沿う端面図である。
【図１３】（ａ）は端部フレームの斜視図であり、（ｂ）は端部フレームの他の斜視図であり、（ｃ）は端部フレームの側面図である。
【図１４】図２のＧ−Ｇ´線に沿う端面図である。
【図１５】（ａ）は端部フレームの斜視図であり、（ｂ）は端部フレームの他の斜視図であり、（ｃ）は端部フレームの側面図である。
【図１６】（ａ）は連結フレームの斜視図であり、（ｂ）は連結フレームの側面図である。
【図１７】図２のＨ−Ｈ´線に沿う端面図である。
【図１８】採光屋根の組み立て手順を説明するための図（１）。
【図１９】採光屋根の組み立て手順を説明するための図（２）。
【図２０】採光屋根の組み立て手順を説明するための図（３）。
【図２１】採光屋根の組み立て手順を説明するための図（４）。
【図２２】採光屋根の組み立て手順を説明するための図（５）。
【図２３】採光屋根の組み立て手順を説明するための図（６）。
【図２４】採光屋根の組み立て手順を説明するための図（７）。
【図２５】採光屋根の組み立て手順を説明するための図（８）。
【図２６】採光屋根の組み立て手順を説明するための図（９）。
【図２７】採光屋根の組み立て手順を説明するための図（１０）。
【図２８】採光屋根の組み立て手順を説明するための図（１１）。
【図２９】（ａ）は他のシート固定部材の側面図であり、（ｂ）は他のシート固定部材の側面図であり、（ｃ）は他のシート固定部材の側面図であり、（ｄ）は他のシート固定部材の側面図である。
【図３０】（ａ）は他の連結構造の部分端面図であり、（ｂ）は他の連結構造の部分端面図であり、（ｃ）は他の連結構造の部分端面図であり、（ｄ）は他の連結構造の部分端面図である。
【発明を実施するための形態】
【００１４】
以下図面を参照して、本発明に係る採光屋根について説明する。但し、本発明の技術的範囲はそれらの実施の形態に限定されず、特許請求の範囲に記載された発明との均等物に及ぶ点に留意されたい。
【００１５】
図１は、採光屋根の一例の斜視図である。図２（ａ）は図１に示す採光屋根の平面図であり、図２（ｂ）は図１のＡ−Ａ´線に沿う端面図である。図２（ｂ）において、破線は折板屋根の傾斜部及び上板部を示す。
【００１６】
採光屋根１は、不図示のタイトフレーム上に配置された金属製の折板屋根１００上に配置される。折板屋根１００は、水上側にある屋根の頂上部から水下側に所定の角度を持って傾斜するように配置される。図１において、奥側が水上側であり、手前側が水下側である。採光屋根１００を形成する折板は、上板部の端部にそれぞれ形成されるハゼ締め部１０１を介して接合される。
【００１７】
採光屋根１は、水上側に配置される第一採光部材１０ａと、第一採光部材１０ａに近接して第一採光部材１０ａの水下側に配置される第二採光部材１０ｂと、第二採光部材１０ｂに近接して第二採光部材１０ｂの水下側に配置される第三採光部材１０ｃとを有する。
【００１８】
採光屋根１は、第一〜第六シート材１１ａ〜１１ｆを更に有する。第一及び第二シート材１１ａ及び１１ｂは、第一採光部材１０ａの下方に配置される。第三及び第四シート材１１ｃ及び１１ｄは、第二採光部材１０ｂの下方に配置される。第五及び第六シート材１１ｅ及び１１ｆは、第三採光部材１０ｃの下方に配置される。
【００１９】
第一〜第三採光部材１０ａ〜１０ｃは、ポリカーボネートの押し出し成形によって形成される。第一〜第六シート材１１ａ〜１１ｆはそれぞれ、第一〜第三採光部材１０ａ〜１０ｃの採光面の面積の略半分の面積を有する方形の可撓性のガラスクロスであり、不燃性部材である。ここでのガラスクロスはガラス繊維の織布にシリコン系の樹脂を含浸したものである。
【００２０】
採光屋根１は、側部支持構造１２と、水上支持構造１３と、水下支持構造１４と、連結構造１５ａ及び１５ｂを更に有する。側部支持構造１２は、第一〜第三採光部材１０ａ〜１０ｃの長辺を支持する。水上支持構造１３は、第一採光部材１０ａの水上端を支持する。水下支持構造１４は、第三採光部材１０ｃの水下端を支持する。連結構造１５ａは、第一採光部材１０ａの水下端と第二採光部材１０ｂの水上端との間を連結する。連結構造１５ｂは、第二採光部材１０ｂの水下端と第三採光部材１０ｃの水上端との間を連結する。
【００２１】
採光屋根１は、水上ユニット２、中間ユニット３及び水下ユニット４に分割される。水上ユニット２は、第一採光部材１０ａと、第一及び第二シート材１１ａ及び１１ｂと、側部支持構造１２の水上部と、水上支持構造１３と、連結構造１５ａの水上部とを含む。中間ユニット３は、第二採光部材１０ｂと、第三及び第四シート材１１ｃ及び１１ｄと、側部支持構造１２の中間部と、連結構造１５ａの水下部と、連結構造１５ｂの水上部とを含む。水下ユニット４は、第三採光部材１０ｃと、第五及び第六シート材１１ｅ及び１１ｆと、側部支持構造１２の水下部と、連結構造１５ｂの水下部と、水下支持構造１４とを含む。
【００２２】
採光屋根１は、採光した太陽光を、図２（ａ）において破線で示される開口部１２０を介して、太陽光を折板屋根１００を有する建築物の内部に導く。
【００２３】
図３（ａ）は図２（ａ）のＢ−Ｂ´線に沿う端面図であり、図３（ｂ）は横桟の側面図であり、図４（ａ）は図２（ａ）のＣ−Ｃ´線に沿う端面図であり、図４（ｂ）は図４（ａ）の部分拡大図である。
【００２４】
側部支持構造１２は、横桟２０と、補強横桟２１と、受座２２ａ及び２２ｂと、サイドフレーム２３ａ及び２３ｂと、シート固定部材２４ａ及び２４ｂと、シート材押込部材２５ａ及び２５ｂとを有する。側部支持構造１２は、サイドカバー２６ａ及び２６ｂと、サイド水切り部材２７ａ及び２７ｂとを更に有する。
【００２５】
横桟２０は、矩形の断面を有する中空のアルミニウム鋼材であり、押出成型により形成される。横桟２０の両端は、ビスによりサイドフレーム２３ａ及び２３ｂにそれぞれ接合される。横桟２０の方形断面の４つの頂点にそれぞれ位置する断面Ｃ字状の突起部は、横桟２０がサイドフレーム２３ａ及び２３ｂにビスで接合されるときに、メスネジとして機能する。
【００２６】
横桟２０は、水上ユニット２、中間ユニット３及び水下ユニット４それぞれの横方向中央部に配置され、採光屋根１の横方向の強度を補強する。
【００２７】
図５（ａ）は補強横桟２１の斜視図であり、図５（ｂ）は補強横桟２１の平面図であり、図５（ｃ）は補強横桟２１の正面図であり、図５（ｄ）は補強横桟２１の側面図であり、図５（ｅ）は補強横桟２１の部分正面図である。
【００２８】
補強横桟２１は、桟部２１１と、桟部２１１の長手方向の端部に配置されるハゼ支持部２１２ａ及び２１２ｂとを有し、アルミニウム・亜鉛合金めっき鋼板で形成される。桟部２１１は、底板部２１１ａと、一対の長手側板部２１１ｂ及び２１１ｃとを有し、コ字状断面を有する。
【００２９】
ハゼ支持部２１２ａは、第一側板部２１３ａと、上板部２１４ａと、第二側板部２１５ａと、内板部２１６ａとを有する。第一側板部２１３ａは、底板部２１１ａの短辺から底板部２１１ａに対して略直角を成して上方に延びる矩形の平板である。第一側板部２１３ａには、２つの孔（不図示）が形成される。
【００３０】
上板部２１４ａは、それぞれ矩形の平板である第一平板部と傾斜板部と第二平板部とを有する。第一平板部は、第一側板部２１３ａの上端から第一側板部２１３ａに対して略直角を成して底板部２１１ａと反対に延びており、中央部に結合部材であるボルト２１７ａを挿入するための孔が形成される。傾斜板部は、第一平板部の第一側板部２１３ａと接する辺と反対の辺から略１３５度の角度を成して上方に伸びる平板である。第二平板部は、傾斜板部の第一平板部と接する辺と反対の辺から第一平板部が延びる方向と同一の方向に延びる平板である。
【００３１】
第二側板部２１５ａは、上板部２１４ａに対して略直角を成して下方に延びて、第一側板部２１３ａと対向する位置に配置される矩形の平板である。内板部２１６ａは、第二側板部２１５ａの下端から第二側板部２１５ａに対して略８０度の角度を成して第一側板部２１３ａの方向に向かって延びる矩形の平板である。
【００３２】
ハゼ支持部２１２ｂは、ハゼ支持部２１２ａと反対の位置に配置され、ハゼ支持部２１２ａと同一の構成及び機能を有する。ハゼ支持部２１２ｂは、第一側板部２１３ｂと、上板部２１４ｂと、第二側板部２１５ｂと、内板部２１６ｂとを有する。
【００３３】
補強横桟２１は、水上ユニット２、中間ユニット３及び水下ユニット４それぞれに横桟２０の略２倍の割合で配置され、採光屋根１の横方向の強度を更に補強する。
【００３４】
図６（ａ）は受座２２ａの斜視図であり、図６（ｂ）は受座２２ａの正面図であり、図６（ｃ）は受座２２ａの平面図であり、図６（ｄ）は受座２２ａの側面図である。
【００３５】
受座２２ａは、平板部２２１ａと、突起部２２２ａと、第一及び第二側壁部２２３ａ及び２２４ａとを有し、アルミニウム・亜鉛合金めっき鋼板で形成される。突起部２２２ａは、平板部２２１ａの短手方向の略中央部を起曲して形成される。平板部２２１ａの短手方向の略中央部には、突起部２２２ａと共にボルト２１７ａを挿入するための孔が形成される。
【００３６】
第一及び第二側壁部２２３ａ及び２２４ａはそれぞれ、平板部２２１ａの長辺の端部を一定幅に亘り折曲して形成される。受座２２ａの第一側壁部２２３ａと第二側壁部２２４ａとの間にハゼ支持部２１２ａを配置することにより、受座２２ａは、受座２２ａの第一側壁部２２３ａと第二側壁部２２４ａとの間からハゼ支持部２１２ａがずれることを防止する。
【００３７】
受座２２ｂは、受座２２ａと同一の構成及び機能を有する。受座２２ｂは、平板部２２１ｂと、突起部２２２ｂと、第一及び第二側壁部２２３ｂ及び２２４ｂとを有する。
【００３８】
ボルト２１７ａは、ハゼ支持部２１２ａの上板部２１４ａの第一平板部に形成される孔と、受座２２ａの平板部２２１ａに形成される孔とをそれぞれ貫通し、ナット２２７ａと共に、ハゼ支持部２１２ａ及び受座２２ａを挟持する。ハゼ支持部２１２ａ及び受座２２ａは、ボルト２１７ａ及びナット２２７ａによって挟持されることにより、折板屋根１００の上面を鉛直方向から挟持する鉛直挟持部を形成すると共に、ハゼ締め部１０１を水平方向から挟持する水平挟持部を形成する。図４において矢印Ａで示される鉛直挟持部は、ハゼ支持部２１２ａの第二側板部２１５ａの下端と、受座２２ａの平板部２２１ａの第一側壁部２２３ａ及び第二側壁部２２４ｂの上端とにより形成される。図４において矢印Ｂで示される水平挟持部は、ハゼ支持部２１２ａの内板部２１６ａの先端と、受座２２ａの突起部２２２ａの一方の面とにより形成される。鉛直挟持部は、略水平方向に延びる折板屋根１００の上面を鉛直方向から挟持し、水平挟持部は、鉛直方向に延びる折板屋根１００のハゼ締め部１０１を水平方向から挟持する。
【００３９】
補強横桟２１と受座２２ａ及び２２ｂとでハゼ締め部１０１を挟持するとき、補強横桟２１は、受座２２ａ及び２２ｂとそれぞれボルト２１７ａ及び２１７ｂ並びにナット２２７ａ及び２２７ｂで仮止めされた状態でハゼ締め部１０１に位置合わせされる。このとき、受座２２ａ及び２２ｂはそれぞれ、補強横桟２１の長手方向に対して略直角を成すように配置される。次いで、補強横桟２１の長手方向に対して略直角を成すように配置されている受座２２ａ及び２２ｂをそれぞれ、ハゼ支持部２１２ａ及び２１２ｂと共にハゼ締め部１０１を挟持する位置に回転させる。そして、ボルト２１７ａ及び２１７ｂ並びにナット２２７ａ及び２２７ｂを締め込むことによって、補強横桟２１と受座２２ａ及び２２ｂとによって、ハゼ締め部１０１が挟持される。
【００４０】
図７（ａ）はサイドフレーム２３ａの斜視図であり、図７（ｂ）はサイドフレーム２３ａの側面図である。
【００４１】
サイドフレーム２３ａは、横桟支持部２３１ａと、第一水平板部２３２ａと、第一鉛直板部２３３ａと、第二鉛直板部２３４ａと、第二水平板部２３５ａと、第三鉛直板部２３６ａと、採光部材支持部２３７ａと、シート枠支持部２３８ａとを有する。サイドフレーム２３ａは、アルミニウム鋼材であり、押出成型により形成される。
【００４２】
横桟支持部２３１ａは鉛直方向に延びる平板であり、上端が第一水平板部２３２ａの上方に向かって折曲されている。横桟支持部２３１ａは、横桟２０の長手方向の端部を支持する。第一水平板部２３２ａは、横桟支持部２３１ａの下端から水平方向に延びる平板であり、サイドフレーム２３ａをハゼ支持部２１２ａの上板部２１４ａに接合するためのビスが貫入される。第一鉛直板部２３３ａは、第一水平板部２３２ａの裏面から延びる平板である。第二鉛直板部２３４ａは、第一水平板部２３２ａの横桟支持部２３１ａの反対の端部から上下に向かって鉛直方向に延びる平板である。第一鉛直板部２３３ａ及び第二鉛直板部２３４ａはそれぞれ、雨水が採光屋根１を介して室内に侵入することを防止する。また、第一水平板部２３２ａは、第一鉛直板部２３３ａ及び第二鉛直板部２３４ａの間に排水孔が形成されており、採光屋根１の内部に侵入した雨水等の水を採光屋根１の外部に排水する。
【００４３】
第二水平板部２３５ａは、第二鉛直板部２３４ａの上端から左右に水平方向に延びる平板である。第三鉛直板部２３６ａは、第二水平板部２３５ａの第一水平板部２３２ａと反対の端部から下方に向かって鉛直方向に延びる平板であり、サイドフレーム２３ａをサイドカバー２６ａに接合するためのビスが貫入される。また、第三鉛直板部２３６ａの下端にはサイドカバー２６ａの嵌合部と嵌合する嵌合部が形成される。採光部材支持部２３７ａは、第二水平板部２３５ａの第三鉛直板部２３６ａと反対の端部から上に向かって鉛直方向に延びる平板状の鉛直部と、鉛直部の上端から第三鉛直板部２３６ａの方向に水平方向に延びる平板状の水平部とを有する。シート枠支持部２３８ａは、採光部材支持部２３７ａの鉛直部の水平部が延びる方向と反対の面から水平に採光部材支持部２３７ａの水平部と反対の方向に延びる平板である。シート枠支持部２３８ａの表面には、シート枠支持部２３８ａに貫入されたビスによってシート固定部材２４ａが接合される。
【００４４】
サイドフレーム２３ａの側面図における断面Ｃ字状の４つの突起部は、サイドフレーム２３ａがビスにより接合されるときにメスネジとして機能する。
【００４５】
サイドフレーム２３ｂは、サイドフレーム２３ａと同一の構成及び機能を有する。サイドフレーム２３ｂは、横桟支持部２３１ｂと、第一水平板部２３２ｂと、第一鉛直板部２３３ｂと、第二鉛直板部２３４ｂと、第二水平板部２３５ｂと、第三鉛直板部２３６ｂと、採光部材支持部２３７ｂと、シート枠支持部２３８ｂとを有する。
【００４６】
一対のサイドフレーム２３ａ及び２３ｂは、水上ユニット２、中間ユニット３及び水下ユニット４にそれぞれ配置される。水上ユニット２に配置される一対のサイドフレーム２３ａ及び２３ｂの水上端は水上支持構造１３に接合され、水下端は連結構造１５ａの水上部に接合される。中間ユニット３に配置される一対のサイドフレーム２３ａ及び２３ｂの水上端は連結構造１５ａの水下部に接合され、水下端は連結構造１５ｂの水上部に接合される。水下ユニット４に配置される一対のサイドフレーム２３ａ及び２３ｂの水上端は連結構造１５ｂの水下部に接合され、水下支持構造１４に接合される。
【００４７】
図８（ａ）はシート固定部材２４ａの斜視図であり、図８（ｂ）はシート固定部材２４ａの側面図であり、図８（ｃ）はシート材押込部材２５ａの斜視図であり、（ｄ）はシート材の取付図であり、（ｅ）は図４に示す端面図の部分拡大図である。
【００４８】
シート固定部材２４ａは、溝部２４１ａと、突起部２４２ａと、接合部２４３ａと、補強部２４４ａとを有する。
【００４９】
溝部２４１ａは、平板状の底板部と、底板部の長辺から底板部と略直角を成して上方に延びる平板状の一対の側壁部とにより形成される。突起部２４２ａは、溝部２４１ａの一方の側壁部の上端から溝部２４１ａの上方に向かって溝部２４１ａの側壁部と略直角を成して延びる平板である。接合部２４３ａは、溝部２４１ａの他方の側壁部の上端から溝部２４１ａと反対の方向に溝部２４１ａの側壁部と略直角を成して延びる平板状の水平部と、水平部の溝部２４１ａと反対の端部から水平部と略直角を成して延びる平板状の鉛直部とを有する。接合部２４３ａの鉛直部の高さは、溝部２４１ａの側壁部の高さと等しい。補強部２４４ａは、突起部２４２ａが形成される側壁部の上部及び下部から溝部２４１ａと反対の方向に延びる平板状の一対の水平部と、一対の水平部の溝部２４１ａと反対の端部から互いに対向するように延びる平板状の一対の鉛直部とを有する。
【００５０】
シート材押込部材２５ａは、円形断面を有する棒状の合成ゴム部材であり、第一シート材１１ａの端部と共にシート固定部材２４ａの溝部２４１ａに開口部２４５ａを介して押込まれる。シート材押込部材２５ａが第一シート材１１ａの端部と共にシート固定部材２４ａの溝部２４１ａに押込まれることにより、第一シート材１１ａの端部は、シート固定部材２４ａの溝部２４１ａに固定される。また、シート材押込部材２５ａの断面の直径は、シート固定部材２４ａの開口部２４５ａの幅よりも大きいので、溝部２４１ａに押し込まれたシート材押込部材２５ａは、溝部２４１ａから抜け出すことは容易ではない。第一シート材１１ａの端部は、ビスで互いに結合されるサイドフレーム２３ａのシート枠支持部２３８ａとシート固定部材２４ａとによって挟持されるため、より強固に固定される。また、シート固定部材２４ａをサイドカバー２６ａのシート枠支持部２３８ａに固定するときに使用されるビスが、第一シート材１１ａを貫通しているので、第一シート材１１ａは更に強固に固定される。
【００５１】
シート固定部材２４ｂ及びシート材押込部材２５ｂはそれぞれ、シート固定部材２４ａ及びシート材押込部材２５ａと同一の構成及び機能を有する。シート固定部材２４ｂは、溝部２４１ｂと、突起部２４２ｂと、接合部２４３ｂと、補強部２４４ｂとを有する。
【００５２】
サイドカバー２６ａは、鉛直方向に延びる平板状の側板部と、側板部の上端から水平方向に延びる平板状の上板部と、側板部の下端から上板部と同一方向に延びる平板状の下板部とを有する。サイドカバー２６ａの側板部の上板部が延びる方向の面には、サイドフレーム２３ａの第三鉛直板部２３６ａの下端に形成される嵌合部と嵌合する嵌合部が形成される。上板部の裏面の先端部には、パッキン２６１ａを嵌合するパッキン嵌合部が形成される。サイドカバー２６ａは、アルミニウム鋼材であり、押出成型により形成される。
【００５３】
サイドカバー２６ａは、側板部がサイドフレーム２３ａの第三鉛直板部２３６ａとビスにより結合されることにより、第一採光部材１０ａの長手方向の端部をサイドフレーム２３ａ（採光部材支持部２３７ａ）と共に挟持する。
【００５４】
サイドカバー２６ｂは、サイドカバー２６ａと同一の構成及び機能を有する。
【００５５】
サイド水切り部材２７ａは、鉛直方向に延びる鉛直部と、補強横桟２１ａのハゼ支持部２１２ａの外面に沿って延びる直角部と、折板に沿って延びる傾斜部とを有する。サイド水切り部材２７ａは、アルミニウム・亜鉛合金めっき鋼板で形成される。サイド水切り部材２７ａは、直角部の上面において、サイドフレーム２３ａと、補強横桟２１ａのハゼ支持部２１２ａとの間にビスにより接合される。また、サイド水切り部材２７ａは、直角部の側面において、補強横桟２１ａのハゼ支持部２１２ａとにビスにより接合される。
【００５６】
サイド水切り部材２７ｂは、サイド水切り部材２７ａと同一の構成及び機能を有する。
【００５７】
図９は、図２（ａ）のＤ−Ｄ´線に沿う端面図である。
【００５８】
図９に示す端面図は、第一採光部材１０ａ、第一シート材１１ａが、開口部１２０ではなく、折板屋根１００の上部に配置されることが図４に示す端面図と相違する。
【００５９】
折板屋根１００は、タイトフレーム１０２の表面に配置される。図９に示す側部支持構造１２の断面は、受座２２ａ及び２２ｂの代わりに水平挟持部材２８ａ及び２８ｂを有することが、図４にされる側部支持構造１２の断面と相違する。
【００６０】
水平挟持部材２８ａは、鉛直方向に延びる平板状の鉛直部と、鉛直部の上端から水平方向に延びる上板部と、鉛直部の下端から上板部の延びる方向と反対の方向に延びる下板部とを有する。水平挟持部材２８ａの上板部には孔が形成され、補強横桟２１のハゼ支持部２１２ａの上板部２１４ａと、ボルト２１９ａ及びナット２２９ａにより結合される。水平挟持部材２８ａの下板部の先端は、補強横桟２１のハゼ支持部２１２ａの内板部２１６ａの先端と共に、ハゼ締め部１０１を水平方向から挟持する。
【００６１】
図１０は、図２（ａ）のＥ−Ｅ´線に沿う端面図である。図１０において、破線は折板屋根１００を示す。
【００６２】
水上支持構造１３は、端部フレーム３１と、シート固定部材３２と、シート材押込部材３３と、端部プレート３４と、水上カバー３５と、水上水切り部材３６とを有する。水上支持構造１３及び補強横桟２１の下方には、折板屋根１００が第一採光部材１０ａの下方に向かって延びている。折板屋根１００の開口部１２０側の端部には、水上止め面戸１０３及びシーリング３９が配置され、水上から折板屋根１００を介して雨水が侵入することを防止する。
【００６３】
図１１（ａ）及び１１（ｂ）はそれぞれ端部フレーム３１の斜視図であり、図１１（ｃ）は端部フレーム３１の側面図である。
【００６４】
端部フレーム３１は、平板状の底板部３１０と、底板部３１０の一方の長辺から底板部３１０と略直角を成して延びる平板状の第一側壁部３１１と、底板部３１０の他方の長辺から底板部３１０と略直角を成して延びる平板状の第二側壁部３１２を有する。底板部３１０、第一側壁部３１１及び第二側壁部３１２は、樋部３１３を形成する。
【００６５】
端部フレーム３１は、第一側壁部３１１の上端近傍から樋部３１３の上方に向かって延びる平板状の水平部と水平部の端部から水平部と略直角を成して上方に延びる平板状の鉛直部とを有する採光部材支持部３１４を更に有する。端部フレーム３１は、第一側壁部３１１の外面から水平方向に延びる平板状のシート枠支持部３１５を更に有する。端部フレーム３１は、結合部３１６を更に有する。結合部３１６は、第二側壁部３１２の上端から外側に向かって延びる平板状の第一水平部と、第一水平部の外端から上下に向かって鉛直方向に延びる平板状の鉛直部と、鉛直部の上端から樋部３１３の上方に向かって延びる平板状の第二水平部とを有する。端部フレーム３１は、アルミニウム鋼材であり、押出成型により形成される。
【００６６】
端部フレーム３１の採光部材支持部３１４は、第一側壁部３１１の上端と共に第一採光部材１０ａの水上端を支持する。端部フレーム３１のシート枠支持部３１５の表面には、シート固定部材３２が配置され、端部フレーム３１のシート枠支持部３１５とシート固定部材３２とはビスにより接合される。端部フレーム３１の結合部３１６は、ビスによって水上カバー３５に接合される。
【００６７】
端部フレーム３１は、長手方向の端部がそれぞれサイドフレーム２３ａ及び２３ｂの横桟支持部２３１ａ及び２３１ｂによって支持される。水上支持構造１３に雨水等が侵入した場合、侵入した水は、樋部３１３に流入する。また、第一側壁部３１１の上端と採光部材支持部３１４とにより形成される断面上向きコの字型の部分は、第一採光部材１０ａの水上端の裏面に回り込もうとする侵入水に対して樋の役割りを果たす。樋部３１３及び第一側壁部３１１の上端と採光部材支持部３１４とにより形成される断面上向きコの字型の部分に流入した水は、サイドフレーム２３ａ及び２３ｂの第一水平板部２３２ａ及び２３２ｂに導かれ、第一水平板部２３２ａ及び２３２ｂに形成される排水孔から排水される。
【００６８】
端部フレーム３１の側面図における断面Ｃ字状の２つの突起部は、端部フレーム３１がビスにより接合されるときにメスネジとして機能する。
【００６９】
シート固定部材３２及びシート材押込部材３３はそれぞれ、図４及び図８を参照して説明されたシート固定部材２４ａ及びシート材押込部材２５ａと同一の構成を有する。シート固定部材３２及びシート材押込部材３３は、第一シート材１１ａの水上端を固定する。
【００７０】
端部プレート３４は、平板状のアルミニウム鋼材であり、端部フレーム３１の第二側壁部３１２の外面と、結合部３１６の下端とにより形成される断面コ字状の凹部に嵌合されると共に、複数のビスにより接合される。また、端部プレート３４は、水上ユニット２に配置される一対のサイドフレーム２３ａ及び２３ｂの水上端と複数のビスにより接合される。
【００７１】
水上カバー３５は、平板状の側板部と、側板部の上端から側板部と略直角を成して延びる平板状の上板部と、側板部の下端から側板部と略直角を成して延びる平板状の下板部とを有するアルミニウム鋼材である。水上カバー３５の上板部の長さは、水上カバー３５の下板部の長さよりも長い。水上カバー３５の上板部の先端近傍には、アルコールタイプのシーリング材３７が配置される。
【００７２】
水上水切り部材３６は、平板状の平板部と、平板部の一端から平板部と略直角を成して延びる平板状の第一鉛直部と、第一鉛直部の上端から第一鉛直部と略直角を成して平板部の上方に向かって延びる平板状の第一水平部とを有する。水上水切り部材３６は、平板部の第一鉛直部と反対の端部から平板部と略直角を成して延びる平板状の第二鉛直部と、第二鉛直部の上端から第二鉛直部と略直角を成して平板部の上方に向かって延びる平板状の第二水平部とを更に有する。水上水切り部材３６の第一鉛直部の高さは、水上水切り部材３６の第二鉛直部の高さよりも高い。水上水切り部材３６は、アルミニウム・亜鉛合金めっき鋼板で形成される。水上水切り部材３６は、平面部の裏面が補強部材１０４の表面に接するように配置される。
【００７３】
水上水切り部材３６の第一鉛直部は、端部プレート３４と水上カバー３５との間に挟持され、水上水切り部材３６の第一鉛直部の外面の下端には、変成シリコンからなるシーリング材３８が配置される。
【００７４】
図１２は、図２のＦ−Ｆ´線に沿う端面図である。図１２において、破線は折板屋根１００を示す。
【００７５】
水下支持構造１４は、端部フレーム４１と、シート固定部材４２と、シート材押込部材４３と、端部プレート４４と、水下カバー４５と、水下捨て水切り部材４６とを有する。水下支持構造１４及び水下側の２つの補強横桟２１の下方には、折板屋根１００が第三採光部材１０ｃの下方に向かって延びている。２つの補強横桟２１は、横桟として機能すると共に、図９に示すように、水平挟持部材２８ａと共にハゼ締め部１０１を水平方向から挟持する。横桟２０の下方に位置する補強横桟２１及び受座２２はそれぞれ、横桟として機能すると共に、図４に示すようにハゼ締め部１０１を鉛直方向及び水平方向から挟持して採光屋根１を折板屋根１００に固定する。また、水下支持構造１４の下方には、エプロン面戸１０５及び水下第一シーリング４７ａが配置されることにより、水下支持構造１４を下方から支持する。折板屋根１００の開口部１２０側の端部には、水下止め面戸１０６及び水下第二シーリング４７ｂが配置されることにより、水下から折板屋根１００を介して雨水が侵入することを防止する。
【００７６】
図１３（ａ）及び１３（ｂ）はそれぞれ端部フレーム４１の斜視図であり、図１３（ｃ）は端部フレーム４１の側面図である。
【００７７】
端部フレーム４１は、図１１を参照して説明した端部フレーム３１と同一の構造を有する。端部フレーム４１は、底板部４１０と、第一側壁部４１１と、第二側壁部４１２と、樋部４１３と、採光部材支持部４１４と、シート枠支持部４１５と、結合部４１６とを有する。端部フレーム４１の底板部４１０は図１１に示す底板部３１０に対応し、端部フレーム４１の第一側壁部４１１は図１１に示す第一側壁部３１１に対応し、端部フレーム４１の第二側壁部４１２は図１１に示す第二側壁部３１２に対応する。端部フレーム４１の樋部４１３は図１１に示す樋部３１３に対応し、端部フレーム４１の採光部材支持部４１４は図１１に示す採光部材支持部３１４に対応する。端部フレーム４１のシート枠支持部４１５は図１１に示すシート枠支持部３１５に対応し、端部フレーム４１の結合部４１６は図１１に示す結合部３１６に対応する。端部フレーム４１は、第三採光部材１０ｃの水下端を支持すると共に、シート固定部材４２を支持する。
【００７８】
端部フレーム４１は、長手方向の端部がそれぞれサイドフレーム２３ａ及び２３ｂの横桟支持部２３１ａ及び２３１ｂによって支持される。水下支持構造１４に雨水等が侵入した場合、侵入した水は、樋部４１３に流入する。また、第一側壁部４１１の上端と採光部材支持部４１４とにより形成される断面上向きコの字型の部分は、第三採光部材１０ｃの水下端の裏面に回り込もうとする侵入水に対して樋の役割りを果たす。樋部４１３及び第一側壁部４１１の上端と採光部材支持部４１４とにより形成される断面上向きコの字型の部分に流入した水は、サイドフレーム２３ａ及び２３ｂの第一水平板部２３２ａ及び２３２ｂに導かれ、第一水平板部２３２ａ及び２３２ｂに形成される排水孔から排水される。
【００７９】
シート固定部材４２及びシート材押込部材４３は、図４及び図８を参照して説明したシート固定部材２４ａ及びシート材押込部材２５ａと同一の構成を有する。シート固定部材４２及びシート材押込部材４３は、第六シート材１１ｆの水下端を固定する。第六シート材１１ｆの水上端は、横桟２０及び補強横桟２１の上方に位置するシート固定部材１１１ｆ及びシート材押込部材１１２ｆにより固定される。また、第六シート材１１ｆの水上側に位置する第五シート材１１ｅの水下端は、シート固定部材１１１ｆ及びシート材押込部材１１２ｆの水上に位置するシート固定部材１１１ｅ及びシート材押込部材１１２ｅにより固定される。
【００８０】
端部プレート４４は、平板状のアルミニウム鋼材である。端部プレート４４は、端部フレーム４１の第二側壁部４１２の外面と、結合部４１６の下端とにより形成される断面コ字状の凸部に嵌合されると共に、複数のビスにより接合される。また、端部プレート４４は、水下ユニット４に配置される一対のサイドフレーム２３ａ及び２３ｂの水下端と複数のビスにより接合される。
【００８１】
水下カバー４５は、一端に端部フレーム４１の結合部４１６の第２水平部を嵌合する嵌合部を有し、他端に第三採光部材１０ｃの水下端を支持する採光部材支持部を有する平板状のアルミニウム鋼材である。
【００８２】
水下捨て水切り部材４６は、平板状の平板部と、平板部の一端から平板部と略直角を成して延びる第一鉛直部と、平板部の一端から平板部と略直角を成して第一鉛直部と反対の方向に向かって延びる第二鉛直部とを有する。水下捨て水切り部材４６の第一鉛直部と、水下捨て水切り部材４６の第二鉛直部とは略同一の高さを有する。水下捨て水切り部材４６は、アルミニウム・亜鉛合金めっき鋼板で形成される。水下捨て水切り部材４６の平面部の水下側は、エプロン面戸１０５、水下第一シーリング４７ａ及び水下第一パッキン４８ａに支持される。水下捨て水切り部材４６の平面部の水上側は、水下止め面戸１０６、水下第二シーリング４７ｂ及び水下第二パッキン４８ｂに支持される。水下捨て水切り部材４６の表面の水下側には水下第三パッキン４９が配置される。
【００８３】
図１４は、図２のＧ−Ｇ´線に沿う端面図である。
【００８４】
連結構造１５ａは、端部フレーム５１と、連結フレーム５２と、一対のシート固定部材５３ａ及び５３ｂと、一対のシート材押込部材５４ａ及び５４ｂと、一対の端部プレート５５ａ及び５５ｂと、連結カバー５６とを有する。連結構造１５ａは、第一採光部材１０ａの水下端と第二採光部材１０ｂの水上端とを連結する。連結構造１５ａの下方に配置される２つの補強横桟２１及び受座２２はそれぞれ、横桟として機能すると共に、図４に示すようにハゼ締め部１０１を水平方向及び鉛直方向から挟持して採光屋根１を折板屋根１００に固定する。
【００８５】
図１５（ａ）及び１５（ｂ）はそれぞれ端部フレーム５１の斜視図であり、図１５（ｃ）は端部フレーム５１の側面図である。
【００８６】
端部フレーム５１は、図１１を参照して説明した端部フレーム３１と同一の構造を有する。端部フレーム５１は、底板部５１０と、第一側壁部５１１と、第二側壁部５１２と、樋部５１３と、採光部材支持部５１４と、シート枠支持部５１５と、結合部５１６とを有する。端部フレーム５１の底板部５１０は図１１に示す底板部３１０に対応し、端部フレーム５１の第一側壁部５１１は図１１に示す第一側壁部３１１に対応し、端部フレーム５１の第二側壁部５１２は図１１に示す第二側壁部３１２に対応する。端部フレーム５１の樋部５１３は図１１に示す樋部３１３に対応し、端部フレーム５１の採光部材支持部５１４は図１１に示す採光部材支持部３１４に対応する。端部フレーム５１のシート枠支持部５１５は図１１に示すシート枠支持部３１５に対応し、端部フレーム５１の結合部５１６は図１１に示す結合部３１６に対応する。端部フレーム５１は、第二採光部材１０ｂの水上端を支持すると共に、シート固定部材５３ａを支持する。第二採光部材１０ｂの水上端は、端部フレーム５１の樋部５１３の上方に位置する。
【００８７】
端部フレーム５１は、長手方向の端部がそれぞれサイドフレーム２３ａ及び２３ｂの横桟支持部２３１ａ及び２３１ｂによって支持される。連結構造１５ａの水下側に雨水等が侵入した場合、侵入した水は、樋部５１３に流入する。また、第一側壁部５１１の上端と採光部材支持部５１４とにより形成される断面上向きコの字型の部分は、第二採光部材１０ｂの水上端の裏面に回り込もうとする侵入水に対して樋の役割りを果たす。樋部５１３及び第一側壁部５１１の上端と採光部材支持部５１４とにより形成される断面上向きコの字型の部分に流入した水は、サイドフレーム２３ａ及び２３ｂの第一水平板部２３２ａ及び２３２ｂに導かれ、第一水平板部２３２ａ及び２３２ｂに形成される排水孔から排水される。
【００８８】
図１６（ａ）は連結フレーム５２の斜視図であり、図１６（ｂ）は連結フレーム５２の側面図である。
【００８９】
連結フレーム５２は、平板状の底板部５２０と、底板部５２０の一方の長辺から底板部５２０と略直角を成して延びる平板状の第一側壁部５２１と、底板部５２０の他方の長辺から底板部５２０と略直角を成して延びる平板状の第二側壁部５２２を有する。底板部５２０、第一側壁部５２１及び第二側壁部５２２は、樋部５２３を形成する。
【００９０】
連結フレーム５２は、第一側壁部５２１の上端近傍から樋部５２３の上方に向かって延びる平板状の水平部と水平部の端部から水平部と略直角を成して上方に延びる平板状の鉛直部とを有する採光部材支持部５２４を更に有する。連結フレーム５２は、第一側壁部５２１の外面から水平方向に延びる平板状のシート枠支持部５２５を更に有する。連結フレーム５２は、連結部５２６を更に有する。連結部５２６は、第二側壁部５２２の上端から外側に向かって延びる平板状の第一水平部と、第一水平部の端部から上下に向かって鉛直方向に延びる平板状の第一鉛直部とを有する。連結部５２６は、第一鉛直部の上端から内側及び外側の双方に向かって延びる平板状の第二水平部と、第二水平部の外側の端部から下方に向かって鉛直に延びる第二鉛直部とを更に有する。端部フレーム５２は、アルミニウム鋼材であり、押出成型により形成される。
【００９１】
連結フレーム５２は、長手方向の端部がそれぞれサイドフレーム２３ａ及び２３ｂの横桟支持部２３１ａ及び２３１ｂによって支持される。連結構造１５ａの水上側に雨水等が侵入した場合、侵入した水は、樋部５２３に流入する。また、第一側壁部５２１の上端と採光部材支持部５２４とにより形成される断面上向きコの字型の部分は、第一採光部材１０ａの水下端の裏面に回り込もうとする侵入水に対して樋の役割りを果たす。樋部５２３及び第一側壁部５２１の上端と採光部材支持部５２４とにより形成される断面上向きコの字型の部分に流入した水は、サイドフレーム２３ａ及び２３ｂの第一水平板部２３２ａ及び２３２ｂに導かれ、第一水平板部２３２ａ及び２３２ｂに形成される排水孔から排水される。
【００９２】
連結フレーム５２の連結部５２６は、端部フレーム５１の結合部５１６を上方から覆うように配置される。連結フレーム５２の連結部５２６の第二水平部の裏面は、端部フレーム５１の結合部５１６の第二水平部の表面に接する。連結フレーム５２の連結部５２６の第一鉛直部は、端部フレーム５１の結合部５１６の鉛直部の水上に位置し、連結フレーム５２の連結部５２６の第二鉛直部は、端部フレーム５１の結合部５１６の鉛直部の水下に位置する。連結フレーム５２の連結部５２６の第二鉛直部は、水下に位置する第二採光部材１０ｂが温度上昇により水上方向に延びてきたときに、第二採光部材１０ｂの水上端の当たり面として機能する。連結フレーム５２の連結部５２６の第二鉛直部が当たり面として機能するため、第二採光部材１０ｂの水上端から侵入した水が、連結フレーム５２の連結部５２６の第二水平部の裏面に回り込むことが防止される。
【００９３】
連結フレーム５２の採光部材支持部５２４は、第一側壁部５２１の上端と共に第一採光部材１０ａの水下端を支持する。第一採光部材１０ａの水下端は、連結フレーム５２の樋部５２３の上方に位置する。連結フレーム５２のシート枠支持部５２５は、シート固定部材５３ｂを支持する。
【００９４】
連結フレーム５２の側面図における断面Ｃ字状の２つの突起部は、連結フレーム５２がビスにより接合されるときにメスネジとして機能する。
【００９５】
一対のシート固定部材５３ａ及び５３ｂ並びにシート材押込部材５４ａ及び５４ｂはそれぞれ、図４及び図８を参照して説明したシート固定部材２４ａ及びシート材押込部材２５ａと同一の構成を有する。シート固定部材５３ａ及びシート材押込部材５４ａは、第三シート材１１ｃの水上端を固定する。シート固定部材５３ｂ及びシート材押込部材５４ｂは、第二シート材１１ｂの水下端を固定する。
【００９６】
一対の端部プレート５５ａ及び５５ｂは、図１０を参照して説明した端部プレート３４と同一の構成を有する。端部プレート５５ａは、端部フレーム５１の第二側壁部５１２の外面と、端部フレーム５１の結合部５１６の下端とにより形成される断面コ字状の凹部に嵌合されると共に、複数のビスにより端部フレーム５１に接合される。端部プレート５５ｂは、連結フレーム５２の第二側壁部５２２の外面と、連結フレーム５２の連結部５２６の下端とにより形成される断面コ字状の凹部に嵌合されると共に、複数のビスにより連結フレーム５２に接合される。また、端部プレート５５ａは、中間ユニット３に配置される一対のサイドフレーム２３ａ及び２３ｂの水上端と複数のビスにより接合される。端部プレート５５ｂは、水上ユニット２に配置される一対のサイドフレーム２３ａ及び２３ｂの水下端と複数のビスにより接合される。
【００９７】
一対の端部プレート５５ａ及び５５ｂの間には、シール材等の閉塞部材５７が圧入される。
【００９８】
連結カバー５６は、平板状の平板部と、平板部の両端の裏面に形成される一対のパッキン嵌合部とを有する。水上側のパッキン嵌合部は、パッキン５８ｂを介して連結フレーム５２の採光部材支持部５２４と共に第一採光部材１０ａの水下端を挟持する。水下側のパッキン嵌合部は、パッキン５８ａを介して端部フレーム５１の採光部材支持部５１４と共に第二採光部材１０ｂの水上端を挟持する。
【００９９】
連結フレーム５２の連結部５２６の第二水平部の高さは、第一採光部材１０ａの水下端及び第二採光部材１０ｂの水下端の高さよりも高い。連結カバー５６の連結部５２６の第二水平部の高さを、第一採光部材１０ａの水下端及び第二採光部材１０ｂの水下端の高さよりも高くすることにより、連結フレーム５２の連結部５２６の第二水平部の表面と連結カバー５６の平板部の裏面が密着される。連結フレーム５２の連結部５２６の第二水平部の表面と連結カバー５６の平板部の裏面が密着されることにより、ビスで接合するときに荷重を密着面で受けると共に、連結構造１５ａに水上側から侵入した水が水下側に回り込むことを防止する。
【０１００】
第二採光部材１０ｂの水下端と第三採光部材１０ｃの水上端とを連結する連結構造１５ｂは、連結構造１５ａと同様な構成を有する。連結構造１５ｂは、第二採光部材１０ｂの水下端を支持すると共に、第三採光部材１０ｃの水上端を支持する。また、連結構造１５ｂは、第四シート材１１ｄの水下端を支持すると共に、第五シート材１１ｅの水上端を支持する。
【０１０１】
図１７は、図２のＨ−Ｈ´線に沿う端面図である。
【０１０２】
第一採光部材１０ａと、横桟２０、補強横桟２１及び受座２２との間には、一対のシート固定部材１１１ａ及び１１１ｂ並びにシート材押込部材１１２ａ及び１１２ｂが配置される。シート固定部材１１１ａ及びシート材押込部材１１２ａは、第一シート材１１ａの水下端を支持する。シート固定部材１１１ｂ及びシート材押込部材１１２ｂは、第二シート材１１ｂの水上端を支持する。
【０１０３】
横桟２０の下方に配置される補強横桟２１及び受座２２は、横桟として機能すると共に、図４に示すようにハゼ締め部１０１を水平方向及び鉛直方向から挟持して採光屋根１を折板屋根１００に固定する。
【０１０４】
図１８は、採光屋根１の組み立て手順を説明するための第一説明図である。
【０１０５】
折板屋根１００の一部が除去され、開口部１２０が形成される。開口部１２０の水上側には水上止め面戸１０３が配置され、開口部１２０の水下側にはエプロン面戸１０５及び水下止め面戸１０６が配置される。
【０１０６】
図１９は、採光屋根１の組み立て手順を説明するための第二説明図である。
【０１０７】
複数の補強横桟２１は、開口部１２０の長手方向に水上側から水下側まで配置される。水上側に配置される補強横桟２１及び水下側の２つの補強横桟２１はそれぞれ、水平挟持部材２８ａ及び２８ｂと共にハゼ締め部１０１を水平方向から挟持する。それ以外の補強横桟２１はそれぞれ、受座２２ａ及び２２ｂと共にハゼ締め部１０１を水平方向及び鉛直方向から挟持する。
【０１０８】
受座２２ａ及び２２ｂと共に配置される補強横桟２１は、補強横桟２１の長手方向に略直角を成すように仮止めされた受座２２ａ及び２２ｂを回転させることにより、ハゼ締め部１０１を挟持するように配置される。水平挟持部材２８ａ及び２８ｂと共に配置される補強横桟２１は、補強横桟２１の長手方向に略直角を成すように仮止めされた水平挟持部材２８ａ及び２８ｂを回転させることにより、ハゼ締め部１０１を挟持するように配置される。仮止めされた受座２２ａ及び２２ｂ並びに水平挟持部材２８ａ及び２８ｂは、適切な位置に配置された後に、ボルト及びナットにより締め込められる。
【０１０９】
図２０は、採光屋根１の組み立て手順を説明するための第三説明図である。
【０１１０】
水下側の２つの補強横桟２１の面上には、水下捨て水切り部材４６が配置される。次いで、開口部１２０の表面にハゼ締め部１０１を介して配置された複数の補強横桟２１の両端の面上には、一対のサイド水切り部材２７ａ及び２７ｂが配置される。
【０１１１】
サイド水切り部材２７ａは、補強横桟２１のハゼ支持部２１２ａの第二側板部２１５ａとビスによって接合されることにより固定される。サイド水切り部材２７ｂは、補強横桟２１のハゼ支持部２１２ｂの第二側板部２１５ｂとビスによって接合されることにより固定される。
【０１１２】
図２１は、採光屋根１の組み立て手順を説明するための第四説明図である。
【０１１３】
水下支持構造１４の端部フレーム４１と、水下側に配置される一対のサイドフレーム２３ａ及び２３ｂと、連結構造１５ｂの端部フレーム５１とは、互いの端部が接するように方形に配置される。次いで、方形に配置された端部フレーム４１、サイドフレーム２３ａ及び２３ｂ及び端部フレーム５１は、水下支持構造１４の端部プレート４４及び連結構造１５ｂの端部プレート５５ａに貫入されたビスによって接合される。次いで、接合された端部フレーム４１、サイドフレーム２３ａ及び２３ｂ及び端部フレーム５１は、端部フレーム４１が水下に位置し、端部フレーム５１が水上に位置するように開口部１２０の水下側に配置される。
【０１１４】
次いで、配置されたサイドフレーム２３ａは、サイド水切り部材２７ａ及び水下捨て水切り部材４６と共に、補強横桟２１のハゼ支持部２１２ａの上板部２１４ａとビスによって接合されることにより固定される。次いで、配置されたサイドフレーム２３ｂは、サイド水切り部材２７ｂ及び水下捨て水切り部材４６と共に、補強横桟２１のハゼ支持部２１２ｂの上板部２１４ｂとビスによって接合されることにより固定される。
【０１１５】
図２２は、採光屋根１の組み立て手順を説明するための第五説明図である。
【０１１６】
連結構造１５ｂの連結フレーム５２と、中間に配置される一対のサイドフレーム２３ａ及び２３ｂと、連結構造１５ａの端部フレーム５１とは、互いの端部が接するように方形に配置される。次いで、方形に配置された連結フレーム５２、サイドフレーム２３ａ及び２３ｂ及び端部フレーム５１は、連結構造１５ａの端部プレート５５ａ及び連結構造１５ｂの端部プレート５５ｂに貫入されたビスによって接合される。次いで、接合された連結フレーム５２、サイドフレーム２３ａ及び２３ｂ及び端部フレーム５１は、連結フレーム５２が水下に位置し、端部フレーム５１が水上に位置するように開口部１２０の中央部に配置される。連結フレーム５２を配置するとき、連結フレーム５２の連結部５２６の外側の突起した部分の裏面は、先に配置されている連結構造１５ｂの端部フレーム５１の結合部５１６の表面と接するように配置される。
【０１１７】
次いで、配置されたサイドフレーム２３ａは、サイド水切り部材２７ａと共に、補強横桟２１のハゼ支持部２１２ａの上板部２１４ａとビスによって接合されることにより固定される。次いで、配置されたサイドフレーム２３ｂは、サイド水切り部材２７ｂと共に、補強横桟２１のハゼ支持部２１２ｂの上板部２１４ｂとビスによって接合されることにより固定される。
【０１１８】
図２３は、採光屋根１の組み立て手順を説明するための第六説明図である。
【０１１９】
連結構造１５ａの連結フレーム５２と、水上に配置される一対のサイドフレーム２３ａ及び２３ｂと、水上支持構造１３の端部フレーム３１とは、互いの端部が接するように方形に配置される。次いで、方形に配置された連結フレーム５２、サイドフレーム２３ａ及び２３ｂ及び端部フレーム３１は、連結構造１５ａの端部プレート５５ｂ及び水上支持構造１３の端部プレート３４に貫入されたビスによって接合される。次いで、接合された連結フレーム５２、サイドフレーム２３ａ及び２３ｂ及び端部フレーム３１は、連結フレーム５２が水下に位置し、端部フレーム３１が水上に位置するように開口部１２０の水上側に配置される。連結フレーム５２を配置するとき、連結フレーム５２の連結部５２６の外側の突起した部分の裏面は、先に配置されている連結構造１５ａの端部フレーム５１の結合部５１６の表面と接するように配置される。
【０１２０】
次いで、配置されたサイドフレーム２３ａは、サイド水切り部材２７ａと共に、補強横桟２１のハゼ支持部２１２ａの上板部２１４ａとビスによって接合されることにより固定される。次いで、配置されたサイドフレーム２３ｂは、サイド水切り部材２７ｂと共に、補強横桟２１のハゼ支持部２１２ｂの上板部２１４ｂとビスによって接合されることにより固定される。
【０１２１】
図２４は、採光屋根１の組み立て手順を説明するための第七説明図である。
【０１２２】
第一〜第六シート材１１ａ〜１１ｆは、開口部１２０の表面を覆うように配置される。第一〜第六シート材１１ａ〜１１ｆの端部は、枠状に結合された４つのシート固定部材の溝部にシート材押込部材と共に押込まれることにより固定されている。４つのシート固定部材を枠状に接合するとき、シート固定部材は端部を４５度カット合わせした上で、溶接することにより接合される。例えば、第一シート材１１ａを固定するとき、４つのシート固定部材２４ａ、２４ｂ、３２及び１１１ａを４５度カット合わせし且つ溶接し、４つのシート材押込部材２５ａ、２５ｂ、３３及び１１２ａと共に第一シート材１１ａを固定する。また、第六シート材１１ｆを固定するとき、４つのシート固定部材２４ａ、２４ｂ、４２及び１１１ｆを４５度カット合わせし且つ溶接し、４つのシート材押込部材２５ａ、２５ｂ、４３及び１１２ｆと共に第六シート材１１ｆを固定する。このように、第一〜第六シート材１１ａ〜１１ｆが固定された枠状の４つのシート固定部材は、シート枠支持部２３８ａ及び２３８ｂ等のシート枠支持部に固定される。
【０１２３】
開口部１２０の長手方向に位置するシート固定部材２４ａ及び２４ｂはそれぞれ、サイドフレーム２３ａ及び２３ｂのシート枠支持部２３８ａ及び２３８ｂの表面に配置され、ビスによりシート枠支持部２３８ａ及び２３８ｂに固定される。
【０１２４】
第一シート材１１ａの水上端に配置されるシート固定部材３２は、水上支持構造１３の端部フレーム３１のシート枠支持部３１５の表面に配置され、ビスによりシート枠支持部３１５に固定される。第二シート材１１ｂの水下端に配置されるシート固定部材５３ｂは、連結構造１５ａの連結フレーム５２のシート枠支持部５２５の表面に配置され、ビスによりシート枠支持部５２５に固定される。
【０１２５】
第三シート材１１ｃの水上端に配置されるシート固定部材５３ａは、連結構造１５ａの端部フレーム５１のシート枠支持部５１５の表面に配置され、ビスによりシート枠支持部５１５に固定される。第四シート材１１ｄの水下端に配置されるシート固定部材５３ｂは、連結構造１５ｂの連結フレーム５２のシート枠支持部５２５の表面に配置され、ビスによりシート枠支持部５２５に固定される。
【０１２６】
第五シート材１１ｅの水上端に配置されるシート固定部材５３ａは、連結構造１５ｂの端部フレーム５１のシート枠支持部５１５の表面に配置され、ビスによりシート枠支持部５１５に固定される。第六シート材１１ｆの水下端に配置されるシート固定部材４２は、水下支持構造１４の端部フレーム４１のシート枠支持部４１５の表面に配置され、ビスによりシート枠支持部４１５に固定される。
【０１２７】
図２５は、採光屋根１の組み立て手順を説明するための第八説明図である。
【０１２８】
第一〜第三採光部材１０ａ〜１０ｃは、第一〜第六シート材１１ａ〜１１ｆの上方に配置される。第一〜第三採光部材１０ａ〜１０ｃの長手方向の端部はそれぞれ、サイドフレーム２３ａ及び２３ｂの採光部材支持部２３７ａ及び２３７ｂに支持される。第一採光部材１０ａの水上端は水上支持構造１３の端部フレーム３１の採光部材支持部３１４に支持され、第一採光部材１０ａの水下端は連結構造１５ａの連結フレーム５２の採光部材支持部５２４に支持される。第二採光部材１０ｂの水上端は連結構造１５ａの端部フレーム５１の採光部材支持部５１４に支持され、第二採光部材１０ｂの水下端は連結構造１５ｂの連結フレーム５２の採光部材支持部５２４に支持される。第三採光部材１０ｃの水上端は連結構造１５ｂの端部フレーム５１の採光部材支持部５１４に支持され、第三採光部材１０ｃの水下端は水下支持構造１４の端部フレーム４１の採光部材支持部４１４に支持される。
【０１２９】
図２６は、採光屋根１の組み立て手順を説明するための第九説明図である。
【０１３０】
連結構造１５ａ及び１５ｂの連結カバー５６はそれぞれ、第一採光部材１０ａと第二採光部材１０ｂとの間、及び第二採光部材１０ｂと第三採光部材１０ｃとの間に配置される。連結構造１５ａ及び１５ｂの連結カバー５６はそれぞれ、連結構造１５ａ及び１５ｂの連結フレーム５２の連結部５２６とにビスにより固定される。
【０１３１】
水下支持構造１４の水下カバー４５は、第三採光部材１０ｃの水下端に配置される。水下支持構造１４の水下カバー４５は、水下支持構造１４の端部フレーム４１の結合部４１６にビスにより固定される。
【０１３２】
図２７は、採光屋根１の組み立て手順を説明するための第十説明図である。
【０１３３】
側部支持構造１２のサイドカバー２６ａ及び２６ｂはそれぞれ、第一〜第三採光部材１０ａ〜１０ｃの長手方向の端部に配置される。側部支持構造１２のサイドカバー２６ａは、側部支持構造１２のサイドフレーム２３ａの第三鉛直板部２３６ａにビスにより固定される。側部支持構造１２のサイドカバー２６ｂは、側部支持構造１２のサイドフレーム２３ｂの第三鉛直板部２３６ｂにビスにより固定される。側部支持構造１２のサイドカバー２６ａ及び２６ｂはそれぞれ、側部支持構造１２のサイドフレーム２３ａ及び２３ｂと共に、第一〜第三採光部材１０ａ〜１０ｃをパッキン２６１ａ及び２６１ｂを介して挟持する。
【０１３４】
図２８は、採光屋根１の組み立て手順を説明するための第十一説明図である。
【０１３５】
水上支持構造１３の水上カバー３５及び水上水切り部材３６は、第一採光部材１０ａの水上端に配置される。水上支持構造１３の水上カバー３５は、水上支持構造１３の端部フレーム３１の結合部３１６に水上水切り部材３６を介してビスにより固定される。また、水上支持構造１３の水上カバー３５の周辺はシール材によりシールされる。
【０１３６】
採光屋根１では、補強横桟２１のハゼ支持部２１２ａ及び２１２ｂと、受座２２ａ及び２２ｂとによって、折板屋根１００の上面を鉛直方向から挟持すると共に、ハゼ締め部１０１を水平方向から挟持する。採光屋根１では、折板屋根１００の上面を鉛直方向から挟持すると共に、ハゼ締め部１０１を水平方向から挟持するので、接合強度を高めるために複数の部材を有するベース枠を配置する必要はない。
【０１３７】
また、ハゼ支持部２１２ａ及び２１２ｂは、補強横桟２１の長手方向の端部にそれぞれ配置されるので、補強横桟２１を配置することにより、採光屋根１の長手方向の強度が補強され且つ採光屋根１とハゼ締め部１０１との間の接合強度が補強される。また、開口部１２０の開口縁が開口部１２０の内部に倒れることを防止することができる。さらに、受座２２ａ及び２２ｂの突起部２２２ａ及び２２２ｂをそれぞれハゼ締め部１０１の内側に位置するように配置することにより、ハゼ締め部１０１が内側に倒れないように支持及び挟持することが可能となる。
【０１３８】
また、ハゼ支持部２１２ａ及び２１２ｂは、桟部２１１と一体成型されているため、ハゼ支持部２１２ａ及び２１２ｂと、桟部２１１とを施工現場で接合する作業が不要となり、採光屋根１の施工が容易になる。
【０１３９】
また、ハゼ支持部２１２ａ及び２１２ｂがそれぞれ配置される受座２２ａ及び２２ｂの表面の長辺には、第一及び第二側壁部２２３ａ、２２３ｂ及び２２４ａ、２２４ｂがそれぞれ形成される。ハゼ支持部２１２ａ及び２１２ｂがそれぞれ、第一及び第二側壁部２２３ａ、２２３ｂ及び２２４ａ、２２４ｂの間に配置されるので、ハゼ支持部２１２ａ及び２１２ｂが受座２２ａ及び２２ｂの表面からずれることはない。
【０１４０】
また、採光屋根１では、第一〜第六シート材１１ａ〜１１ｆの端部はそれぞれ、シート固定部材の溝部にシート材押込部材と共に押込まれることによって取り付けられるので、施工が容易である。
【０１４１】
また、図８（ｄ）に示すように、押込まれるシート固定部材の溝部の開口面がシート固定部材を支持するシート枠支持部の表面と対向するように配置される。シート固定部材の溝部の開口面がシート固定部材を支持するシート枠支持部の表面と対向するように配置されることにより、第一〜第六シート材１１ａ〜１１ｆの端部は、シート固定部材と、シート枠支持部との間に挟持される。第一〜第六シート材１１ａ〜１１ｆの端部が、シート固定部材とシート枠支持部との間に挟持されることにより、第一〜第六シート材１１ａ〜１１ｆは、シート固定部材から外れ難くなる。
【０１４２】
また、第一〜第六シート材１１ａ〜１１ｆは、第一〜第六シート材１１ａ〜１１ｆの外周に沿って、枠状に配置され接合されたシート固定部材に取り付けられる。枠状に配置され接合されたシート固定部材の溝部は、一続きの環状に形成されることになる。枠状に配置され接合されたシート固定部材の溝部が一続きの環状に形成されるので、第一〜第六シート材１１ａ〜１１ｆは、環状のあらゆる方向に引っ張ることができるので、確実にシート材をダブつきなく且つシワなく取り付けることができる。すなわち、第一〜第六シート材１１ａ〜１１ｆはそれぞれ、枠状に配置され接合されたシート固定部材の溝部にシート材押込部材と共に押込まれることにより固定できるので、シート材にダブつきができたり、シワができるおそれはない。
【０１４３】
また、枠状に配置され接合されたシート固定部材の溝部の内側の壁板部の上には、溝部の上方に向かって延びる突起部が形成される。この突起部が形成されることにより、シート固定部材の溝部に押込まれた第一〜第六シート材１１ａ〜１１ｆの張力により第一〜第六シート材１１ａ〜１１ｆがシート固定部材の溝部から外れることを防止することができる。
【０１４４】
また、水上に位置する第一採光部材１０ａの表面を介して連結構造１５ａに侵入した水は、連結フレーム５２の樋部５２３の上方に位置する第一採光部材１０ａの水下端から連結フレーム５２の樋部５２３に流入する。水下に位置する第二採光部材１０ｂの表面を介して連結構造１５ａに侵入した水は、端部フレーム５１の樋部５１３の上方に位置する第二採光部材１０ｂの水上端から端部フレーム５１の樋部５１３に流入する。樋部５１３及び５２３に流入した水は、サイドフレーム２３ａ及び２３ｂの第一水平板部２３２ａに導かれ、第一水平板部２３２ａに形成される排水孔から排水される。
【０１４５】
また、連結構造１５ａ及び１５ｂでは、連結フレーム５２の連結部５２６は、端部フレーム５１の結合部５１６を上方から覆うように配置される。水上に配置される連結フレーム５２の連結部５２６は、水下に配置される端部フレーム５１の結合部５１６を上方から覆うように配置されるので、連結構造１５ａ及び１５ｂに侵入した水が端部フレーム５１と連結フレーム５２との間から屋内に漏水するおそれはない。
【０１４６】
採光屋根１は、水上ユニット２、中間ユニット３及び水下ユニット４に分割されるが、配置される中間ユニット３の数を増加させることにより、配置されるユニットの数を増加させてもよい。例えば、水上ユニット２と水下ユニット４との間に２つの中間ユニット３を配置することにより、採光屋根１よりも長手方向の長さが長い採光屋根を配置することができる。
【０１４７】
採光屋根１では、第一〜第三採光部材１０ａ〜１０ｃはポリカーボネートの押し出し成形によって形成されるが、第一〜第三採光部材１０ａ〜１０ｃは、ガラス若しくはアクリル又は塩化ビニール等の他の合成樹脂により形成されてもよい。しかしながら、中空ハニカム構造を有するポリカーボネートにより第一〜第三採光部材１０ａ〜１０ｃを形成することにより、第一〜第三採光部材１０ａ〜１０ｃは、軽量且つ高い剛性を有すると共に高い断熱性能を有することができる。
【０１４８】
また、採光屋根１では、第一〜第六シート材１１ａ〜１１ｆはガラスクロスであるが、パンチングメタル、金属メッシュ、不織布、織布、不燃紙、ガラスペーパ等の他の不燃性部材としてもよい。第一〜第六シート材１１ａ〜１１ｆとして何れの不燃性部材を採用する場合でも、飛び火の熱で第一〜第三採光部材１０ａ〜１０ｃが溶融又は破壊されても、不燃性部材で受け止められる。第一〜第三採光部材１０ａ〜１０ｃが溶融又は破壊されても、不燃性部材で受け止められるので、屋外と屋内とを貫通する開口が生じることがないため、採光屋根は、優れた耐飛び火性を有する。
【０１４９】
また、第一〜第六シート材１１ａ〜１１ｆは不燃性部材であるガラスクロスであるが、断熱、調光、遮光又は防虫など他の機能を有する部材を配置してもよい。
【０１５０】
また、第一〜第六シート材１１ａ〜１１ｆはそれぞれ、枠状に結合された４つのシート固定部材の溝部にシート材押込部材と共に押込まれることにより固定されているが、一辺又は対向する二辺のみシート固定部材により固定されてもよい。シート固定部材により固定されない辺は、押さえ部材又はボルト及びナットにより固定される。
【０１５１】
また、採光屋根１では、ハゼ支持部２１２ａと受座２２ａとは、鉛直方向に配置されるボルト２１７ａ及びナット２２７ａによって接合されるが、水平方向に配置されるボルト及びナットにより更に結合してもよい。一例では、受座２２ａの平板部２２１ａから平板部２２１ａに略直角を成して上方向に延びる平板状の接合板部を形成し、形成された接合板部と、ハゼ支持部２１２ａの第一側板部２１３ａとを水平方向に配置されるボルト及びナットにより結合することができる。このとき、ボルト２１７ａ及びナット２２７ａを貫通するためにハゼ支持部２１２ａの上板部２１４ａ及び受座２２ａの平板部２２１ａにそれぞれ形成される貫通孔は、水平方向に配置されるボルトの長手方向に長い長穴にしてもよい。ハゼ支持部２１２ａの上板部２１４ａ及び受座２２ａの平板部２２１ａにそれぞれ形成される貫通孔を水平方向に配置されるボルトの長手方向に長い長穴にすることにより、水平方向に配置されるボルト及びナットの締め具合を調整できる。また、水平方向に配置されるボルト及びナットを貫通するためにハゼ支持部２１２ａの第一側板部２１３ａ及び受座２２ａの結合板部にそれぞれ形成される貫通孔は、鉛直方向に長い長穴にしてもよい。ハゼ支持部２１２ａの第一側板部２１３ａ及び受座２２ａの結合板部にそれぞれ形成される貫通孔を鉛直方向に長い長穴にすることにより、鉛直方向に配置されるボルト２１７ａ及びナット２２７ａの締め具合を調整できる。
【０１５２】
内板部２１６ａは、第二側板部２１５ａに対して略８０度の角度を成して延びているが、受座２２ａの突起部２２２ａと共にハゼ締め部１０１を水平方向から挟持するように第二側板部２１５ａに対して略直角を成して延びていればよい。
【０１５３】
また、ハゼ支持部２１２ａ及び２１２ｂは、補強横桟２１の桟部２１１の長手方向の端部に一体成型されているが、ハゼ支持部２１２ａ及び２１２ｂは、補強横桟２１の桟部２１１と分離可能な部材としてもよい。ハゼ支持部２１２ａ及び２１２ｂを補強横桟２１の桟部２１１と分離可能な部材とすることにより、補強横桟２１の配置間隔にかかわらずハゼ支持部２１２ａ及び２１２ｂを配置することができる。補強横桟２１の配置間隔にかかわらずハゼ支持部２１２ａ及び２１２ｂを配置し、ハゼ支持部２１２ａ及び２１２ｂをサイドフレーム２３ａ及び２３ｂに接合することにより、ハゼ締め部１０１と採光屋根１との間の接合強度を更に向上させることができる。
【０１５４】
また、受座２２ａは、第一側壁部２２３ａと第二側壁部２２４ａとの間にハゼ支持部２１２ａを配置することにより、ハゼ支持部２１２ａがずれることを防止するが、他の構造によってハゼ支持部２１２ａがずれることを防止してもよい。例えば、受座２２ａとハゼ支持部２１２ａとが嵌合する嵌合構造、受座２２ａとハゼ支持部２１２ａとが係止する係止構造、及びハゼ支持部２１２ａのずれを防止する突起構造を受座２２ａ及びハゼ支持部２１２ａに形成してもよい。
【０１５５】
また、シート固定部材２４ａは溝部２４１ａの開口面とのシート枠支持部との間に第一〜第六シート材１１ａ〜１１ｆが位置するように配置されるような構造を有するが、第一〜第六シート材１１ａ〜１１ｆがシート枠支持部と反対側に位置する構造でもよい。
【０１５６】
図２９（ａ）〜２９（ｄ）はそれぞれ、他のシート固定部材の側面図である。
【０１５７】
図２９（ａ）に示すシート固定部材２９ａは、接合部２９３ａの水平部が溝部２９１ａの側壁部の上端からではなく、溝部２９１ａの側壁部の下端から延びることが図８を参照して説明したシート固定部材２４ａと相違する。図２９（ａ）に示すシート固定部材２９ａでは、接合部２９３ａの水平部が溝部２９１ａの側壁部の下端から延びる。シート固定部材２９ａは、サイドフレーム２３ａのシート枠支持部２３８ａに接合されるときに溝部２９１ａの開口面がシート枠支持部２３８ａの表面と対向せずに上方に位置するように配置される。
【０１５８】
図２９（ｂ）に示すシート固定部材２９ｂは、突起部２９２ａを有しておらず、溝部２９１ａの水平断面の断面積が上方に向かうに従って小さくなることが、図２９（ａ）に示すシート固定部材２９ａと相違する。図２９（ｂ）に示すシート固定部材２９ｂでは、溝部２９１ａの水平断面の断面積が上方に向かうに従って小さくなるテーパ上の形状を有することによって、第一〜第六シート材１１ａ〜１１ｆ及びシート材押込部材２５ａが溝部から外れることを防止する。
【０１５９】
図２９（ｃ）に示すシート固定部材２９ｃは、突起部２９２ａを有しておらず、溝部２９１ａの側壁に凹凸が形成されることが、図２９（ａ）に示すシート固定部材２９ａと相違する。図２９（ｃ）に示すシート固定部材２９ｃでは、溝部２９１ａの側壁に凹凸が形成されることによって、第一〜第六シート材１１ａ〜１１ｆ及びシート材押込部材２５ａが溝部から外れることを防止する。
【０１６０】
図２９（ｄ）に示すシート固定部材２９ｄは、突起部２９２ａを有しておらず、不図示のビスを介して接続される押さえ部材２９５ｄを有することが、図２９（ａ）に示すシート固定部材２９ａと相違する。図２９（ｄ）に示すシート固定部材２９ｄでは、シート固定部材２９ｄの上面にビスを介して接続される押さえ部材２９５ｄを配置することによって、第一〜第六シート材１１ａ〜１１ｆ及びシート材押込部材２５ａが溝部から外れることを防止する。
【０１６１】
また、シート材押込部材２５ａは円形断面を有する棒状の合成ゴム部材であるが、シート材押込部材は、三角形、方形等の多角形の断面を有してもよく、また他の弾性部材で形成されてもよい。なお、シート材押込部材が円形以外の他の断面形状を有する場合でも、シート材押込部材は、溝部の開口部の幅よりも大きい幅を有して、溝部における突起部の奥側にシート材と共に押込み可能に形成されることが好ましい。また、シート材押込部材の表面には長手方向に亘って規則的又は不規則に凹凸が形成されていてもよい。シート材押込部材の表面に長手方向に亘って凹凸が形成されることにより、シート材押込部材が押し込むシート材のずれが防止される。
【０１６２】
また、連結構造１５ａ及び１５ｂはそれぞれ、端部フレーム５１及び連結フレーム５２により連結されているが、端部フレーム５１及び連結フレーム５２とは形状が異なる連結フレームによって連結されてもよい。
【０１６３】
図３０（ａ）〜３０（ｄ）はそれぞれ、他の連結構造の部分端面図である。
【０１６４】
図３０（ａ）には、端部フレーム５１及び連結フレーム５２の代わりに第一連結フレーム５９ａ１と、第二連結フレーム５９ａ２とにより連結される連結構造が示される。第一連結フレーム５９ａ１の樋部を形成する一方の壁面部には連結腕が形成され、第一連結フレーム５９ａ１の樋部を形成する他方の壁面部には採光部材を支持する採光部材支持部とシート固定部材を支持するシート枠支持部が形成される。第二連結フレーム５９ａ２の樋部を形成する一方の壁面部には連結腕が形成され、第二連結フレーム５９ａ２の樋部を形成する他方の壁面部には採光部材を支持する採光部材支持部とシート固定部材を支持するシート枠支持部が形成される。
【０１６５】
図３０（ｂ）には、端部フレーム５１及び連結フレーム５２の代わりに第一連結フレーム５９ｂ１と、第二連結フレーム５９ｂ２とにより連結される連結構造が示される。第一連結フレーム５９ｂ１及び第二連結フレーム５９ｂ２は、連結腕の先端が互いに係合するように水平方向に延びる板状の係合部を有することが図３０（ａ）に示す第一連結フレーム５９ａ１及び第二連結フレーム５９ａ２と相違する。
【０１６６】
図３０（ｃ）には、端部フレーム５１及び連結フレーム５２の代わりに第一連結フレーム５９ｃ１と、第二連結フレーム５９ｃ２とにより連結される連結構造が示される。第一連結フレーム５９ｃ１及び第二連結フレーム５９ｃ２は、連結腕が樋部を形成する壁面ではなく底面から延びることが図３０（ａ）に示す第一連結フレーム５９ａ１及び第二連結フレーム５９ａ２と相違する。
【０１６７】
図３０（ｄ）には、端部フレーム５１及び連結フレーム５２の代わりに第一連結フレーム５９ｄ１と、第二連結フレーム５９ｄ２とにより連結される連結構造が示される。第一連結フレーム５９ｄ１及び第二連結フレーム５９ｄ２は、中空の矩形部の一方の側壁部に連結腕が形成され、他方の側壁部にシート枠支持部が形成されることが図３０（ａ）に示す第一連結フレーム５９ａ１及び第二連結フレーム５９ａ２と相違する。図３０（ｄ）に示す連結構造では、第一連結フレーム５９ｄ１の連結腕が樋部として機能する。連結構造内部に侵入した水は、第一連結フレーム５９ｄ１の連結腕を介して、サイドフレーム２３ａ及び２３ｂの第一水平板部２３２ａに導かれ、第一水平板部２３２ａに形成される排水孔から排水される。
【０１６８】
また、連結フレーム５２の連結部５２６と接する端部フレーム５１の結合部５１６の第二水平部の表面は平滑面であるが、端部フレーム５１の結合部５１６の第二水平部の表面は凹凸面としてもよい。連結フレーム５２の連結部５２６と接する端部フレーム５１の結合部５１６の第二水平部の表面を凹凸面とすることにより、端部フレーム５１の結合部５１６と連結フレーム５２の連結部５２６との間に毛管現象により水が侵入することが防止される。また、連結フレーム５２の連結部５２６の第二水平部の裏面を凹凸面としてもよい。
【０１６９】
また、連結カバー５６の平板部の裏面と接する連結フレーム５２の連結部５２６の第二水平部の表面は平滑面であるが、連結フレーム５２の連結部５２６の第二水平部の表面は凹凸面としてもよい。連結カバー５６の平板部の裏面と接する連結フレーム５２の連結部５２６の第二水平部の表面を凹凸面とすることにより、連結フレーム５２の連結部５２６と連結カバー５６の平板部との間に毛管現象により水が侵入することが防止される。また、連結カバー５６の平板部の裏面を凹凸面としてもよい。
【０１７０】
また、連結構造１５ａ及び１５ｂにおいて、水下側の採光部材の水上端の当たり面として機能する連結フレーム５２の連結部５２６の第二鉛直部の代わりに、連結カバー５６の平板部の裏面から下方に向かって延びる平板上の当たり面部を形成してもよい。また、当たり面は、水下側の採光部材の水上端だけでなく、水上側の採光部材の水下端にも配置されてもよい。
【符号の説明】
【０１７１】
１    採光屋根
２    水上ユニット
３    中間ユニット
４    水下ユニット
１０ａ〜１０ｃ    第一〜第三採光部材
１１ａ〜１１ｆ    第一〜第六シート材
１２    側部支持構造
１３    水上支持構造
１４    水下支持構造
１５ａ、１５ｂ    連結構造
２０    横桟
２１    補強横桟
２１２ａ、２１２ｂ    ハゼ支持部（支持部材）
２２ａ及び２２ｂ    受座（受部材）
２３ａ及び２３ｂ    サイドフレーム
２４ａ、２４ｂ、３２、４２、５３ａ、５３ｂ、１１１ａ、１１１ｂ、１１１ｅ、１１１ｆ    シート固定部材
２５ａ、２５ｂ、３３、４３、５４ａ、５４ｂ、１１２ａ、１１２ｂ、１１２ｅ、１１２ｆ    シート材押込部材
３１、４１、５１    端部フレーム
５２    連結フレーム
１００    折板屋根
１０１    ハゼ締め部
２１７ａ、２２７ａ    ボルト、ナット（固定部材）
【図１】
2014234611.tif 000003
【図２】
2014234611.tif 000004
【図３】
2014234611.tif 000005
【図４】
2014234611.tif 000006
【図５】
2014234611.tif 000007
【図６】
2014234611.tif 000008
【図７】
2014234611.tif 000009
【図８】
2014234611.tif 000010
【図９】
2014234611.tif 000011
【図１０】
2014234611.tif 000012
【図１１】
2014234611.tif 000013
【図１２】
2014234611.tif 000014
【図１３】
2014234611.tif 000015
【図１４】
2014234611.tif 000016
【図１５】
2014234611.tif 000017
【図１６】
2014234611.tif 000018
【図１７】
2014234611.tif 000019
【図１８】
2014234611.tif 000020
【図１９】
2014234611.tif 000021
【図２０】
2014234611.tif 000022
【図２１】
2014234611.tif 000023
【図２２】
2014234611.tif 000024
【図２３】
2014234611.tif 000025
【図２４】
2014234611.tif 000026
【図２５】
2014234611.tif 000027
【図２６】
2014234611.tif 000028
【図２７】
2014234611.tif 000029
【図２８】
2014234611.tif 000030
【図２９】
2014234611.tif 000031
【図３０】
2014234611.tif 000032